(57)【要約】  本開示は、ページングエリア特定方法、アクセスネットワークノードおよびコアネットワークノードを提供する。アクセスネットワークノードに応用される当該ページングエリア特定方法は、端末に対しページングエリア割当を行う指示情報を取得するステップと、前記指示情報に基づいて、端末に対しページングエリアを特定するステップと、前記ページングエリアを前記端末に通知するステップとを含む。【選択図】  図３
2019535219.tif 000002
【特許請求の範囲】
【請求項１】
アクセスネットワークノードに応用されるページングエリア特定方法において、
端末に対しページングエリア割当を行う指示情報を取得するステップと、
前記指示情報に基づいて、端末に対しページングエリアを特定するステップと、
前記ページングエリアを前記端末に通知するステップとを含むページングエリア特定方法。
【請求項２】
前記指示情報は、端末の無線リソース制御ＲＲＣインアクティブ状態が許容されるエリア情報、または、端末のＲＲＣインアクティブ状態が許容される指示である請求項１に記載のページングエリア特定方法。
【請求項３】
前記指示情報が、端末のＲＲＣインアクティブ状態が許容される指示である場合、
前記指示情報に基づいて、端末に対しページングエリアを特定するステップは、
端末のＲＲＣインアクティブ状態が許容される指示に基づいて、セルグラニュラリティに基づくページングエリアを端末に対し特定するステップを含む請求項２に記載のページングエリア特定方法。
【請求項４】
前記指示情報が、端末の無線リソース制御ＲＲＣインアクティブ状態が許容されるエリア情報である場合、
前記指示情報に基づいて、端末に対しページングエリアを特定するステップは、
前記端末のＲＲＣインアクティブ状態が許容されるエリア情報の中で、セルグラニュラリティに基づくページングエリアを端末に対し特定するステップを含み、
特定されるセルグラニュラリティに基づくページングエリアは、端末のＲＲＣインアクティブ状態が許容されるエリアに含まれる請求項２に記載のページングエリア特定方法。
【請求項５】
セルグラニュラリティに基づくページングエリアを端末に対し特定するステップは、
アクセスネットワークノード側のネットワークデプロイメント、配置および前記端末の移動性特徴情報を取得するステップと、
前記ネットワークデプロイメント、配置および前記端末の移動性特徴情報に基づいて、セルグラニュラリティに基づくページングエリアを端末に対し特定するステップとを含む請求項３または４に記載のページングエリア特定方法。
【請求項６】
前記ページングエリアを前記端末に通知するステップは、
前記ページングエリアをエアインタフェースメッセージによって直接前記端末に送信するステップを含む請求項３または４に記載のページングエリア特定方法。
【請求項７】
前記端末がアクセスネットワークノードに再度接続する場合、前記アクセスネットワークノードが、端末に対しページングエリアを再度特定するステップをさらに含む請求項３または４に記載のページングエリア特定方法。
【請求項８】
端末に対しページングエリア割当を行う指示情報を取得するステップは、
コアネットワークノードが端末の位置更新リクエストを受信した時に送信した指示情報であって、端末に対しページングエリア割当を行う指示情報を取得するステップを含む請求項２に記載のページングエリア特定方法。
【請求項９】
前記ページングエリアを前記端末に通知するステップは、
前記コアネットワークノードが前記ページングエリアを前記端末に送信するように、前記ページングエリアを前記コアネットワークノードに送信するステップ、
または、
前記ページングエリアをエアインタフェースメッセージによって直接前記端末に送信するステップを含む請求項８に記載のページングエリア特定方法。
【請求項１０】
端末に対しページングエリア割当を行う指示情報を取得するステップは、
端末が現在のページングエリアを出た後に送信した指示情報であって、端末に対しページングエリア割当を行う指示情報を受信するステップを含む請求項１に記載のページングエリア特定方法。
【請求項１１】
前記指示情報に基づいて、端末に対しページングエリアを特定するステップは、
前記指示情報に基づいて、端末のＲＲＣインアクティブ状態が許容されるかを判断するステップを含み、
端末のＲＲＣインアクティブ状態が許容されれば、端末に対しページングエリアを特定する請求項１０に記載のページングエリア特定方法。
【請求項１２】
前記指示情報に基づいて、端末のＲＲＣインアクティブ状態が許容されるかを判断するステップは、
前記指示情報に基づいて、端末のＲＲＣインアクティブ状態が許容されるエリア情報を取得するステップと、
前記端末のＲＲＣインアクティブ状態が許容されるエリア情報に基づいて、端末のＲＲＣインアクティブ状態が許容されるかを判断するステップとを含む請求項１１に記載のページングエリア特定方法。
【請求項１３】
前記指示情報に基づいて、端末のＲＲＣインアクティブ状態が許容されるエリア情報を取得するステップは、
第１アクセスネットワークノードにリクエストを送信して、前記端末のＲＲＣインアクティブ状態が許容されるエリア情報を取得するステップ、
または、
コアネットワークノードにリクエストを送信して、前記端末のＲＲＣインアクティブ状態が許容されるエリア情報を取得するステップを含む請求項１２に記載のページングエリア特定方法。
【請求項１４】
端末のＲＲＣインアクティブ状態が許容されなければ、コアネットワークノードがＲＲＣインアクティブ状態が許容されなくなることを前記端末に通知するように、コアネットワークノードにＲＲＣインアクティブ状態不活性化メッセージを送信するステップをさらに含む請求項１１に記載のページングエリア特定方法。
【請求項１５】
端末のＲＲＣインアクティブ状態が許容されれば、端末に対しページングエリアを特定するステップの後に、
前記コアネットワークノードが前記端末に対しアクセスネットワークノードとコアネットワークノードとの間の制御プレーン接続とユーザプレーン接続を更新するように、パス切替リクエストをコアネットワークノードに送信するステップをさらに含む請求項１１に記載のページングエリア特定方法。
【請求項１６】
前記ページングエリアを前記端末に通知するステップは、
前記ページングエリアをエアインタフェースメッセージによって直接前記端末に送信するステップを含む請求項１０に記載のページングエリア特定方法。
【請求項１７】
端末に対しページングエリア割当を行う指示情報を取得することに用いられる第１取得モジュールと、
前記指示情報に基づいて、端末に対しページングエリアを特定することに用いられる第１特定モジュールと、
前記ページングエリアを前記端末に通知することに用いられる通知モジュールとを含むアクセスネットワークノード。
【請求項１８】
前記指示情報は、端末の無線リソース制御ＲＲＣインアクティブ状態が許容されるエリア情報、または、端末のＲＲＣインアクティブ状態が許容される指示である請求項１７に記載のアクセスネットワークノード。
【請求項１９】
前記指示情報が、端末のＲＲＣインアクティブ状態が許容される指示である場合、
前記第１特定モジュールは、
端末のＲＲＣインアクティブ状態が許容される指示に基づいて、セルグラニュラリティに基づくページングエリアを端末に対し特定することに用いられる請求項１８に記載のアクセスネットワークノード。
【請求項２０】
前記指示情報が、端末の無線リソース制御ＲＲＣインアクティブ状態が許容されるエリア情報である場合、
前記第１特定モジュールは、
前記端末のＲＲＣインアクティブ状態が許容されるエリア情報の中で、セルグラニュラリティに基づくページングエリアを端末に対し特定することに用いられ、
特定されるセルグラニュラリティに基づくページングエリアは、端末のＲＲＣインアクティブ状態が許容されるエリアに含まれる請求項１８に記載のアクセスネットワークノード。
【請求項２１】
セルグラニュラリティに基づくページングエリアを端末に対し特定する方式として、
アクセスネットワークノード側のネットワークデプロイメント、配置および前記端末の移動性特徴情報を取得し、
前記ネットワークデプロイメント、配置および前記端末の移動性特徴情報に基づいて、セルグラニュラリティに基づくページングエリアを端末に対し特定する請求項１９または２０に記載のアクセスネットワークノード。
【請求項２２】
前記通知モジュールは、
前記ページングエリアをエアインタフェースメッセージによって直接前記端末に送信することに用いられる請求項１９または２０に記載のアクセスネットワークノード。
【請求項２３】
前記端末がアクセスネットワークノードに再度接続する場合、前記アクセスネットワークノードから端末に対しページングエリアを再度特定することに用いられる第２特定モジュールをさらに含む請求項１９または２０に記載のアクセスネットワークノード。
【請求項２４】
前記第１取得モジュールは、
コアネットワークノードが端末の位置更新リクエストを受信したときに送信した指示情報であって、端末に対しページングエリア割当を行う指示情報を取得することに用いられる請求項１８に記載のアクセスネットワークノード。
【請求項２５】
前記通知モジュールは、
前記コアネットワークノードが前記ページングエリアを前記端末に送信するように、前記ページングエリアを前記コアネットワークノードに送信すること、
または、
前記ページングエリアをエアインタフェースメッセージによって直接前記端末に送信することに用いられる請求項２４に記載のアクセスネットワークノード。
【請求項２６】
前記第１取得モジュールは、
端末が現在のページングエリアを出た後に送信した指示情報であって、端末に対しページングエリア割当を行う指示情報を受信することに用いられる請求項１７に記載のアクセスネットワークノード。
【請求項２７】
前記第１特定モジュールは、
前記指示情報に基づいて、端末のＲＲＣインアクティブ状態が許容されるかを判断することに用いられる判断サブモジュールと、
端末のＲＲＣインアクティブ状態が許容されれば、端末に対しページングエリアを特定することに用いられる第１特定サブモジュールを含む請求項２６に記載のアクセスネットワークノード。
【請求項２８】
前記判断サブモジュールは、
前記指示情報に基づいて、端末のＲＲＣインアクティブ状態が許容されるエリア情報を取得することに用いられる取得ユニットと、
前記端末のＲＲＣインアクティブ状態が許容されるエリア情報に基づいて、端末のＲＲＣインアクティブ状態が許容されるかを判断することに用いられる判断ユニットを含む請求項２７に記載のアクセスネットワークノード。
【請求項２９】
前記取得ユニットは、
第１アクセスネットワークノードにリクエストを送信して、前記端末のＲＲＣインアクティブ状態が許容されるエリア情報を取得すること、
または、
コアネットワークノードにリクエストを送信して、前記端末のＲＲＣインアクティブ状態が許容されるエリア情報を取得することに用いられる請求項２７に記載のアクセスネットワークノード。
【請求項３０】
前記第１特定モジュールは、
端末のＲＲＣインアクティブ状態が許容されなければ、ＲＲＣインアクティブ状態が許容されなくなることをコアネットワークノードから前記端末に通知するように、コアネットワークノードにＲＲＣインアクティブ状態不活性化メッセージを送信することに用いられる第１送信サブモジュールをさらに含む請求項２７に記載のアクセスネットワークノード。
【請求項３１】
前記コアネットワークノードが前記端末に対しアクセスネットワークノードとコアネットワークノードとの間の制御プレーン接続とユーザプレーン接続を更新するように、パス切替リクエストをコアネットワークノードに送信することに用いられる第１送信モジュールをさらに含む請求項２７に記載のアクセスネットワークノード。
【請求項３２】
前記通知モジュールは、
前記ページングエリアをエアインタフェースメッセージによって直接前記端末に送信することに用いられる請求項２６に記載のアクセスネットワークノード。
【請求項３３】
コアネットワークノードに応用されるページングエリア特定方法において、
端末の位置更新リクエストを取得するステップと、
前記位置更新リクエストに基づいて、端末の無線リソース制御ＲＲＣインアクティブ状態が許容されるかを特定するステップと、
無線リソース制御ＲＲＣインアクティブ状態が許容されれば、端末に対しページングエリア割当を行う指示情報をアクセスネットワークノードに送信するステップとを含むページングエリア特定方法。
【請求項３４】
前記指示情報は、コアネットワークノードから提供される、端末の無線リソース制御ＲＲＣインアクティブ状態が許容されるエリア情報または端末のＲＲＣインアクティブ状態が許容される指示を含む請求項３３に記載のページングエリア特定方法。
【請求項３５】
端末の位置更新リクエストを取得するステップは、
端末が現在のページングエリアを出たときに送信した位置更新リクエストを受信するステップを含み、
前記位置更新リクエストは、端末が現在のページングエリアを出る指示情報を含む請求項３３に記載のページングエリア特定方法。
【請求項３６】
前記指示情報が、端末の無線リソース制御ＲＲＣインアクティブ状態が許容されるエリア情報を含む場合、
端末に対しページングエリア割当を行う指示情報をアクセスネットワークノードに送信するステップは、
端末のＲＲＣインアクティブ状態が許容されるエリア情報を特定するステップと、
前記エリア情報を、端末に対しページングエリア割当を行う指示情報としてアクセスネットワークノードに送信するステップとを含む請求項３３に記載のページングエリア特定方法。
【請求項３７】
前記位置更新リクエストに基づいて、端末の無線リソース制御ＲＲＣインアクティブ状態が許容されるかを特定するステップの前に、
端末がＲＲＣインアクティブ状態許容エリアにあるかを判断するステップをさらに含み、
前記端末がＲＲＣインアクティブ状態許容エリアにあれば、前記位置更新リクエストに基づいて、端末の無線リソース制御ＲＲＣインアクティブ状態が許容されるかを特定するステップを実行するが、
前記端末がＲＲＣインアクティブ状態許容エリアになければ、前記端末に応答メッセージを返信して、ＲＲＣインアクティブ状態が許容されなくなることを端末に通知する請求項３３に記載のページングエリア特定方法。
【請求項３８】
アクセスネットワークノードからフィードバックされるページングエリアを受信するステップと、
前記ページングエリアを前記端末に送信するステップとをさらに含む請求項３３に記載のページングエリア特定方法。
【請求項３９】
端末の位置更新リクエストを取得することに用いられる第２取得モジュールと、
前記位置更新リクエストに基づいて、端末の無線リソース制御ＲＲＣインアクティブ状態が許容されるかを特定することに用いられる第３特定モジュールと、
無線リソース制御ＲＲＣインアクティブ状態が許容されれば、端末に対しページングエリア割当を行う指示情報をアクセスネットワークノードに送信することに用いられる第２送信モジュールとを含むコアネットワークノード。
【請求項４０】
前記指示情報は、コアネットワークノードから提供される、端末の無線リソース制御ＲＲＣインアクティブ状態が許容されるエリア情報または端末のＲＲＣインアクティブ状態が許容される指示を含む請求項３９に記載のコアネットワークノード。
【請求項４１】
前記第２取得モジュールは、
端末が現在のページングエリアを出たときに送信した位置更新リクエストを受信することに用いられ、
前記位置更新リクエストは、端末が現在のページングエリアを出る指示情報を含む請求項３９に記載のコアネットワークノード。
【請求項４２】
前記指示情報が、端末の無線リソース制御ＲＲＣインアクティブ状態が許容されるエリア情報を含む場合、
前記第２送信モジュールは、
端末のＲＲＣインアクティブ状態が許容されるエリア情報を特定することに用いられる第２特定サブモジュールと、
前記エリア情報を、端末に対しページングエリア割当を行う指示情報としてアクセスネットワークノードに送信することに用いられる第２送信サブモジュールとを含む請求項３９に記載のコアネットワークノード。
【請求項４３】
端末がＲＲＣインアクティブ状態許容エリアにあるかを判断することに用いられる判断モジュールをさらに含み、
前記端末がＲＲＣインアクティブ状態許容エリアにあれば、前記第３特定モジュールは、前記位置更新リクエストに基づいて、端末の無線リソース制御ＲＲＣインアクティブ状態が許容されるかを特定するステップを実行し、
前記端末がＲＲＣインアクティブ状態許容エリアになければ、前記端末に応答メッセージを返信して、ＲＲＣインアクティブ状態が許容されなくなることを端末に通知することに用いられるメッセージ返信モジュールをさらに含む請求項３９に記載のコアネットワークノード。
【請求項４４】
アクセスネットワークノードからフィードバックされるページングエリアを受信することに用いられる受信モジュールと、
前記ページングエリアを前記端末に送信することに用いられる第３送信モジュールとをさらに含む請求項３９に記載のコアネットワークノード。
【請求項４５】
プロセッサと、前記プロセッサに接続されるメモリおよびトランシーバを含むアクセスネットワークノードにおいて、
前記メモリは、前記プロセッサによる操作実行に用いられるプログラムとデータを記憶することに用いられ、
プロセッサは、前記メモリに格納されているプログラムとデータを呼び出して実行すると、
端末に対しページングエリア割当を行う指示情報を取得するプロセスと、
前記指示情報に基づいて、端末に対しページングエリアを特定するプロセスと、
トランシーバによって前記ページングエリアを前記端末に通知するプロセスを実行するアクセスネットワークノード。
【請求項４６】
プロセッサと、前記プロセッサに接続されるメモリおよびトランシーバを含むコアネットワークノードにおいて、
前記メモリは、前記プロセッサによる操作実行に用いられるプログラムとデータを記憶することに用いられ、
プロセッサは、前記メモリに格納されているプログラムとデータを呼び出して実行すると、
端末の位置更新リクエストを取得するプロセスと、
前記位置更新リクエストに基づいて、端末の無線リソース制御ＲＲＣインアクティブ状態が許容されるかを特定するプロセスと、
無線リソース制御ＲＲＣインアクティブ状態が許容されれば、端末に対しページングエリア割当を行う指示情報をトランシーバによってアクセスネットワークノードに送信するプロセスを実行するコアネットワークノード。
【発明の詳細な説明】
【技術分野】
【０００１】
本願は、２０１６年１０月１１日に中国特許庁に提出された中国特許出願ＮＯ．２０１６１０８８７８２６．３の優先権を主張し、その全ての内容が援用によりここに取り込まれる。
本開示は、通信技術分野に係り、特にページングエリア特定方法、アクセスネットワークノードおよびコアネットワークノードに係る。
【背景技術】
【０００２】
図１に示すように、次世代（ＮｅｘｔＧｅｎ）ネットワークのアーキテクチャーは、主にユーザ機器（Ｕｓｅｒ  Ｅｑｕｉｐｍｅｎｔ（ＵＥ）；端末と称してもよい。）、無線アクセスネットワーク（ＲＡＮ）ノードおよび次世代コアネットワーク（ＮｅｘｔＧｅｎ  Ｃｏｒｅ  Ｎｅｔｗｏｒｋ）からなる。ＮｅｘｔＧｅｎ  Ｃｏｒｅ  Ｎｅｔｗｏｒｋは、制御プレーン機能（ＣＰ  ｆｕｎｃｔｉｏｎｓ）とユーザプレーン機能（ＵＰ  ｆｕｎｃｔｉｏｎｓ）から構成される。ＵＥは、ＮＧ１インタフェースでＣＰ  ｆｕｎｃｔｉｏｎｓに接続される。ＲＡＮノードは、ＮＧ２インタフェースでＣＰ  ｆｕｎｃｔｉｏｎｓに接続され、ＮＧ３インタフェースでＵＰ  ｆｕｎｃｔｉｏｎｓに接続される。ＣＰ  ｆｕｎｃｔｉｏｎｓとＵＰ  ｆｕｎｃｔｉｏｎｓは、ＮＧ４インタフェースで接続され、かつＣＰ  ｆｕｎｃｔｉｏｎｓは、ＮＧ５インタフェースでアプリケーションサービス機能（ＡＦ）に接続され、ＵＰ  ｆｕｎｃｔｉｏｎｓは、ＮＧ６インタフェースでデータネットワーク（ＤＮ）に接続される。
【０００３】
ＴＲ  ２３．７９９では、新規の移動性状態である無線リソース制御（ＲＲＣ）インアクティブ接続（ＲＲＣ＿ｉｎａｃｔｉｖｅ＿ｃｏｎｎｅｃｔｅｄ）状態が導入される。ＵＥが当該状態である場合、ＲＡＮノードは、当該ＵＥとのＲＲＣ接続が解除されるが、ＮＧ２とＮＧ３インタフェースによる接続が保持される。
【０００４】
ＵＥが当該状態ではコアネットワークに対し透明であり、すなわちコアネットワークから見て、ＵＥが常に接続状態である。したがって、ダウンリンクシグナリングまたはデータがＲＡＮノードに至る。この場合、ＲＡＮノードからＵＥをページングする必要がある。
【０００５】
図２に示すように、ＴＲ  ２３．７９９における無線アクセスネットワークレベル（ＲＡＮ  ｌｅｖｅｌ）のページングエリアの特定方法は、以下のステップを含む。
ステップ１において、ＵＥは、長期の滞在が希望されるエリアの情報をサービスリクエスト（Ｓｅｒｖｉｃｅ  Ｒｅｑｕｅｓｔ）メッセージに携帯させる。
ステップ２において、ＮＧ  Ｃｏｒｅ（次世代コアネットワーク）は、ＵＥの希望、ＵＥの契約およびネットワークの配置に基づいて、所望エリア（ｉｎｔｅｎｄｅｄ  ａｒｅａ）を特定する。ユーザプレーンの使用中では、ＮＧ  ＣｏｒｅとＲＡＮは、ＵＥがＲＲＣ＿ｉｎａｃｔｉｖｅ＿ｃｏｎｎｅｃｔｅｄ状態で長期滞在することが許容されるエリアを協議する。それから、ＮＧ  Ｃｏｒｅは、協議したエリアを、長期接続許容エリア（Ｌｏｎｇ  Ｃｏｎｎｅｃｔｅｄ  Ａｌｌｏｗｅｄ  Ａｒｅａ）として特定し、ＵＥに通知する。
ステップ３において、ＵＥは、ＲＲＣ  ｉｎａｃｔｉｖｅモードに移行する。
ステップ４において、ＵＥは、Ｌｏｎｇ  Ｃｏｎｎｅｃｔｅｄ  Ａｌｌｏｗｅｄ  Ａｒｅａを出るときにＮＧ  Ｃｏｒｅに通知し、Ｌｏｎｇ  Ｃｏｎｎｅｃｔｅｄ  Ａｌｌｏｗｅｄ  Ａｒｅａを更新または削除する。
【０００６】
なお、関連技術では、ＵＥが現在のＲＡＮ  ｌｅｖｅｌのページングエリアを出た後に当該ページングエリアの更新または再割当を行うことができないため、ネットワーク通信に影響を与える。
【発明の概要】
【発明が解決しようとする課題】
【０００７】
本開示は、ＵＥが現在のＲＡＮ  ｌｅｖｅｌのページングエリアを出た後に当該ページングエリアの更新または再割当を行う手段は関連技術になく、ネットワーク通信に影響を与えるという問題を解決するために、ページングエリア特定方法、アクセスネットワークノードおよびコアネットワークノードを提供する。
【課題を解決するための手段】
【０００８】
上記技術課題を解決するために、本開示の実施例は、アクセスネットワークノードに応用されるページングエリア特定方法を提供する。当該方法は、端末に対しページングエリア割当を行う指示情報を取得するステップと、前記指示情報に基づいて、端末に対しページングエリアを特定するステップと、前記ページングエリアを前記端末に通知するステップとを含む。
【０００９】
一部の選択可能な実施例において、前記指示情報は、端末の無線リソース制御ＲＲＣインアクティブ状態が許容されるエリア情報、または、端末のＲＲＣインアクティブ状態が許容される指示である。
【００１０】
一部の選択可能な実施例において、前記指示情報が、端末のＲＲＣインアクティブ状態が許容される指示である場合、前記指示情報に基づいて、端末に対しページングエリアを特定するステップは、端末のＲＲＣインアクティブ状態が許容される指示に基づいて、セルグラニュラリティ（Ｃｅｌｌ-Ｇｒａｎｕｌａｒｉｔｙ）に基づくページングエリアを端末に対し特定するステップを含む。
【００１１】
一部の選択可能な実施例において、前記指示情報が、端末の無線リソース制御ＲＲＣインアクティブ状態が許容されるエリア情報である場合、前記指示情報に基づいて、端末に対しページングエリアを特定するステップは、前記端末のＲＲＣインアクティブ状態が許容されるエリア情報の中で、セルグラニュラリティに基づくページングエリアを端末に対し特定するステップを含む。ここで、特定されるセルグラニュラリティに基づくページングエリアは、端末のＲＲＣインアクティブ状態が許容されるエリアに含まれる。
【００１２】
一部の選択可能な実施例において、セルグラニュラリティに基づくページングエリアを端末に対し特定するステップは、アクセスネットワークノード側のネットワークデプロイメント（Ｎｅｔｗｏｒｋ Ｄｅｐｌｏｙｍｅｎｔ）、配置（Ｃｏｎｆｉｇｕｒａｔｉｏｎ）および前記端末の移動性特徴（Ｍｏｂｉｌｉｔｙ Ｆｅａｔｕｒｅ）情報を取得するステップと、前記ネットワークデプロイメント、配置および前記端末の移動性特徴情報に基づいて、セルグラニュラリティに基づくページングエリアを端末に対し特定するステップとを含む。
【００１３】
一部の選択可能な実施例において、前記ページングエリアを前記端末に通知するステップは、前記ページングエリアをエアインタフェースメッセージによって直接前記端末に送信するステップを含む。
【００１４】
一部の選択可能な実施例において、前記ページングエリア特定方法は、前記端末がアクセスネットワークノードに再度接続する場合、前記アクセスネットワークノードから端末に対しページングエリアを再度特定するステップをさらに含む。
【００１５】
一部の選択可能な実施例において、端末に対しページングエリア割当を行う指示情報を取得するステップは、コアネットワークノードが端末の位置更新リクエストを受信した時に送信した指示情報であって、端末に対しページングエリア割当を行う指示情報を取得するステップを含む。
【００１６】
一部の選択可能な実施例において、前記ページングエリアを前記端末に通知するステップは、前記コアネットワークノードから前記ページングエリアを前記端末に送信するように、前記ページングエリアを前記コアネットワークノードに送信するステップ、または、前記ページングエリアをエアインタフェースメッセージによって直接前記端末に送信するステップを含む。
【００１７】
一部の選択可能な実施例において、端末に対しページングエリア割当を行う指示情報を取得するステップは、端末が現在のページングエリアを出た後に送信した指示情報であって、端末に対しページングエリア割当を行う指示情報を受信するステップを含む。
【００１８】
一部の選択可能な実施例において、前記指示情報に基づいて、端末に対しページングエリアを特定するステップは、前記指示情報に基づいて、端末のＲＲＣインアクティブ状態が許容されるかを判断するステップを含み、端末のＲＲＣインアクティブ状態が許容されれば、端末に対しページングエリアを特定する。
【００１９】
一部の選択可能な実施例において、前記指示情報に基づいて、端末のＲＲＣインアクティブ状態が許容されるかを判断するステップは、前記指示情報に基づいて、端末のＲＲＣインアクティブ状態が許容されるエリア情報を取得するステップと、前記端末のＲＲＣインアクティブ状態が許容されるエリア情報に基づいて、端末のＲＲＣインアクティブ状態が許容されるかを判断するステップとを含む。
【００２０】
一部の選択可能な実施例において、前記指示情報に基づいて、端末のＲＲＣインアクティブ状態が許容されるエリア情報を取得するステップは、前記端末のＲＲＣインアクティブ状態が許容されるエリア情報を取得するために、第１アクセスネットワークノードにリクエストを送信するステップ、または、前記端末のＲＲＣインアクティブ状態が許容されるエリア情報を取得するために、コアネットワークノードにリクエストを送信するステップを含む。
【００２１】
一部の選択可能な実施例において、前記ページングエリア特定方法は、端末のＲＲＣインアクティブ状態が許容されなければ、コアネットワークノードがＲＲＣインアクティブ状態が許容されなくなることを前記端末に通知するように、コアネットワークノードにＲＲＣインアクティブ状態不活性化メッセージを送信するステップをさらに含む。
【００２２】
一部の選択可能な実施例において、前記ページングエリア特定方法は、端末のＲＲＣインアクティブ状態が許容されれば、端末に対しページングエリアを特定するステップの後に、前記コアネットワークノードが前記端末に対しアクセスネットワークノードとコアネットワークノードとの間の制御プレーン接続とユーザプレーン接続を更新するように、パス切替リクエストをコアネットワークノードに送信するステップをさらに含む。
【００２３】
一部の選択可能な実施例において、前記ページングエリアを前記端末に通知するステップは、前記ページングエリアをエアインタフェースメッセージによって直接前記端末に送信するステップを含む。
【００２４】
本開示の実施例は、アクセスネットワークノードを提供する。アクセスネットワークノードは、端末に対しページングエリア割当を行う指示情報を取得することに用いられる第１取得モジュールと、前記指示情報に基づいて、端末に対しページングエリアを特定することに用いられる第１特定モジュールと、前記ページングエリアを前記端末に通知することに用いられる通知モジュールとを含む。
【００２５】
一部の選択可能な実施例において、前記指示情報は、端末の無線リソース制御ＲＲＣインアクティブ状態が許容されるエリア情報、または、端末のＲＲＣインアクティブ状態が許容される指示である。
【００２６】
一部の選択可能な実施例において、前記指示情報が、端末のＲＲＣインアクティブ状態が許容される指示である場合、前記第１特定モジュールは、端末のＲＲＣインアクティブ状態が許容される指示に基づいて、セルグラニュラリティに基づくページングエリアを端末に対し特定することに用いられる。
【００２７】
一部の選択可能な実施例において、前記指示情報が、端末の無線リソース制御ＲＲＣインアクティブ状態が許容されるエリア情報である場合、前記第１特定モジュールは、前記端末のＲＲＣインアクティブ状態が許容されるエリア情報の中で、セルグラニュラリティに基づくページングエリアを端末に対し特定することに用いられる。ここで、特定されるセルグラニュラリティに基づくページングエリアは、端末のＲＲＣインアクティブ状態が許容されるエリアに含まれる。
【００２８】
一部の選択可能な実施例において、セルグラニュラリティに基づくページングエリアを端末に対し特定する方式として、アクセスネットワークノード側のネットワークデプロイメント、配置および前記端末の移動性特徴情報を取得し、前記ネットワークデプロイメント、配置および前記端末の移動性特徴情報に基づいて、セルグラニュラリティに基づくページングエリアを端末に対し特定する。
【００２９】
一部の選択可能な実施例において、前記通知モジュールは、前記ページングエリアをエアインタフェースメッセージによって直接前記端末に送信することに用いられる。
【００３０】
一部の選択可能な実施例において、前記アクセスネットワークノードは、前記端末がアクセスネットワークノードに再度接続する場合、前記アクセスネットワークノードが端末に対しページングエリアを再度特定することに用いられる第２特定モジュールをさらに含む。
【００３１】
一部の選択可能な実施例において、前記第１取得モジュールは、コアネットワークノードが端末の位置更新リクエストを受信したときに送信した指示情報であって、端末に対しページングエリア割当を行う指示情報を取得することに用いられる。
【００３２】
一部の選択可能な実施例において、前記通知モジュールは、前記コアネットワークノードが前記ページングエリアを前記端末に送信するように、前記ページングエリアを前記コアネットワークノードに送信すること、または、前記ページングエリアをエアインタフェースメッセージによって直接前記端末に送信することに用いられる。
【００３３】
一部の選択可能な実施例において、前記第１取得モジュールは、端末が現在のページングエリアを出た後に送信した指示情報であって、端末に対しページングエリア割当を行う指示情報を受信することに用いられる。
【００３４】
一部の選択可能な実施例において、前記第１特定モジュールは、前記指示情報に基づいて、端末のＲＲＣインアクティブ状態が許容されるかを判断することに用いられる判断サブモジュールと、端末のＲＲＣインアクティブ状態が許容されれば、端末に対しページングエリアを特定することに用いられる第１特定サブモジュールを含む。
【００３５】
一部の選択可能な実施例において、前記判断サブモジュールは、前記指示情報に基づいて、端末のＲＲＣインアクティブ状態が許容されるエリア情報を取得することに用いられる取得ユニットと、前記端末のＲＲＣインアクティブ状態が許容されるエリア情報に基づいて、端末のＲＲＣインアクティブ状態が許容されるかを判断することに用いられる判断ユニットを含む。
【００３６】
一部の選択可能な実施例において、前記取得ユニットは、前記端末のＲＲＣインアクティブ状態が許容されるエリア情報を取得するために、第１アクセスネットワークノードにリクエストを送信すること、または、前記端末のＲＲＣインアクティブ状態が許容されるエリア情報を取得するために、コアネットワークノードにリクエストを送信することに用いられる。
【００３７】
一部の選択可能な実施例において、前記第１特定モジュールは、端末のＲＲＣインアクティブ状態が許容されなければ、コアネットワークノードがＲＲＣインアクティブ状態が許容されなくなることを前記端末に通知するように、コアネットワークノードにＲＲＣインアクティブ状態不活性化メッセージを送信することに用いられる第１送信サブモジュールをさらに含む。
【００３８】
一部の選択可能な実施例において、前記アクセスネットワークノードは、前記コアネットワークノードが前記端末に対しアクセスネットワークノードとコアネットワークノードとの間の制御プレーン接続とユーザプレーン接続を更新するように、パス切替リクエストをコアネットワークノードに送信することに用いられる第１送信モジュールをさらに含む。
【００３９】
一部の選択可能な実施例において、前記通知モジュールは、前記ページングエリアをエアインタフェースメッセージによって直接前記端末に送信することに用いられる。
【００４０】
本発明は、コアネットワークノードに応用されるページングエリア特定方法を提供する。当該方法は、端末の位置更新リクエストを取得するステップと、前記位置更新リクエストに基づいて、端末の無線リソース制御ＲＲＣインアクティブ状態が許容されるかを特定するステップと、無線リソース制御ＲＲＣインアクティブ状態が許容されれば、端末に対しページングエリア割当を行う指示情報をアクセスネットワークノードに送信するステップとを含む。
【００４１】
一部の選択可能な実施例において、前記指示情報は、コアネットワークノードから提供される、端末の無線リソース制御ＲＲＣインアクティブ状態が許容されるエリア情報または端末のＲＲＣインアクティブ状態が許容される指示を含む。
【００４２】
一部の選択可能な実施例において、端末の位置更新リクエストを取得するステップは、端末が現在のページングエリアを出たときに送信した位置更新リクエストを受信するステップを含み、前記位置更新リクエストは、端末が現在のページングエリアを出る指示情報を含む。
【００４３】
一部の選択可能な実施例において、前記指示情報が、端末の無線リソース制御ＲＲＣインアクティブ状態が許容されるエリア情報を含む場合、端末に対しページングエリア割当を行う指示情報をアクセスネットワークノードに送信するステップは、端末のＲＲＣインアクティブ状態が許容されるエリア情報を特定するステップと、前記エリア情報を、端末に対しページングエリア割当を行う指示情報としてアクセスネットワークノードに送信するステップとを含む。
【００４４】
一部の選択可能な実施例において、前記ページングエリア特定方法は、前記位置更新リクエストに基づいて、端末の無線リソース制御ＲＲＣインアクティブ状態が許容されるかを特定するステップの前に、端末がＲＲＣインアクティブ状態許容エリアにあるかを判断するステップをさらに含む。前記端末がＲＲＣインアクティブ状態許容エリアにあれば、前記位置更新リクエストに基づいて、端末の無線リソース制御ＲＲＣインアクティブ状態が許容されるかを特定するステップを実行する。前記端末がＲＲＣインアクティブ状態許容エリアになければ、前記端末に応答メッセージを返信して、ＲＲＣインアクティブ状態が許容されなくなることを端末に通知する。
【００４５】
一部の選択可能な実施例において、前記ページングエリア特定方法は、アクセスネットワークノードからフィードバックされるページングエリアを受信するステップと、前記ページングエリアを前記端末に送信するステップとをさらに含む。
【００４６】
本開示の実施例は、コアネットワークノードを提供する。当該コアネットワークノードは、端末の位置更新リクエストを取得することに用いられる第２取得モジュールと、前記位置更新リクエストに基づいて、端末の無線リソース制御ＲＲＣインアクティブ状態が許容されるかを特定することに用いられる第３特定モジュールと、無線リソース制御ＲＲＣインアクティブ状態が許容されれば、端末に対しページングエリア割当を行う指示情報をアクセスネットワークノードに送信することに用いられる第２送信モジュールとを含む。
【００４７】
一部の選択可能な実施例において、前記指示情報は、コアネットワークノードから提供される、端末の無線リソース制御ＲＲＣインアクティブ状態が許容されるエリア情報または端末のＲＲＣインアクティブ状態が許容される指示を含む。
【００４８】
一部の選択可能な実施例において、前記第２取得モジュールは、端末が現在のページングエリアを出たときに送信した位置更新リクエストを受信することに用いられる。前記位置更新リクエストは、端末が現在のページングエリアを出る指示情報を含む。
【００４９】
一部の選択可能な実施例において、前記指示情報が、端末の無線リソース制御ＲＲＣインアクティブ状態が許容されるエリア情報を含む場合、前記第２送信モジュールは、端末のＲＲＣインアクティブ状態が許容されるエリア情報を特定することに用いられる第２特定サブモジュールと、前記エリア情報を、端末に対しページングエリア割当を行う指示情報としてアクセスネットワークノードに送信することに用いられる第２送信サブモジュールとを含む。
【００５０】
一部の選択可能な実施例において、前記コアネットワークノードは、端末がＲＲＣインアクティブ状態許容エリアにあるかを判断することに用いられる判断モジュールをさらに含む。前記端末がＲＲＣインアクティブ状態許容エリアにあれば、前記第３特定モジュールは、前記位置更新リクエストに基づいて、端末の無線リソース制御ＲＲＣインアクティブ状態が許容されるかを特定するステップを実行する。前記コアネットワークノードは、前記端末がＲＲＣインアクティブ状態許容エリアになければ、前記端末に応答メッセージを返信して、ＲＲＣインアクティブ状態が許容されなくなることを端末に通知することに用いられるメッセージ返信モジュールをさらに含む。
【００５１】
一部の選択可能な実施例において、前記コアネットワークノードは、アクセスネットワークノードからフィードバックされるページングエリアを受信することに用いられる受信モジュールと、前記ページングエリアを前記端末に送信することに用いられる第３送信モジュールとをさらに含む。
【００５２】
本開示の実施例は、プロセッサと、前記プロセッサに接続されるメモリおよびトランシーバを含むアクセスネットワークノードをさらに提供する。前記メモリは、前記プロセッサによる操作実行に用いられるプログラムとデータを記憶することに用いられる。プロセッサは、前記メモリに格納されているプログラムとデータを呼び出して実行すると、端末に対しページングエリア割当を行う指示情報を取得するプロセスと、前記指示情報に基づいて、端末に対しページングエリアを特定するプロセスと、トランシーバによって前記ページングエリアを前記端末に通知するプロセスを実行する。
【００５３】
本開示の実施例は、プロセッサと、前記プロセッサに接続されるメモリおよびトランシーバを含むコアネットワークノードをさらに提供する。前記メモリは、前記プロセッサによる操作実行に用いられるプログラムとデータを記憶することに用いられる。プロセッサは、前記メモリに格納されているプログラムとデータを呼び出して実行すると、端末の位置更新リクエストを取得するプロセスと、前記位置更新リクエストに基づいて、端末の無線リソース制御ＲＲＣインアクティブ状態が許容されるかを特定するプロセスと、無線リソース制御ＲＲＣインアクティブ状態が許容されれば、端末に対しページングエリア割当を行う指示情報をトランシーバによってアクセスネットワークノードに送信するプロセスを実行する。
【発明の効果】
【００５４】
上記のように、端末に対しページングエリア割当を行う指示情報に基づいて端末のページングエリアを特定することによって、端末のＲＲＣインアクティブ状態でのページングエリアの特定が実現され、ネットワーク通信の完全性が保証される。
【図面の簡単な説明】
【００５５】
【図１】図１は、ＮｅｘｔＧｅｎネットワークのアーキテクチャーを示す図面である。
【図２】図２は、関連技術におけるＲＡＮ  ｌｅｖｅｌのページングエリアの特定方法を示す。
【図３】図３は、本開示の一部実施例におけるページングエリア特定方法のフローチャートである。
【図４】図４は、端末がネットワークにアタッチしまたは位置更新プロセスを引き起こすときに、無線アクセスネットワークレベルのページングエリアを特定する主要な実現プロセスである。
【図５】図５は、端末がサービスリクエストプロセスを引き起こすときに、無線アクセスネットワークレベルのページングエリアを特定する主要な実現プロセスである。
【図６】図６は、一部実施例において、端末が現在の無線アクセスネットワークレベルのページングエリアを出るときに、コアネットワークノードによってトリガーされる無線アクセスネットワークレベルのページングエリアの再割当の主要な実現プロセスである。
【図７】図７は、一部実施例において、端末が現在の無線アクセスネットワークレベルのページングエリアを出るときに、コアネットワークノードによってトリガーされる無線アクセスネットワークレベルのページングエリアの再割当の主要な実現プロセスである。
【図８】図８は、端末が現在の無線アクセスネットワークレベルのページングエリアを出るときに、端末によって直接トリガーされる無線アクセスネットワークレベルのページングエリアの再割当の主要な実現プロセスである。
【図９】図９は、本開示の一部実施例におけるアクセスネットワークノードのモジュール図である。
【図１０】図１０は、本開示の一部実施例におけるアクセスネットワークノードの構造図である。
【図１１】図１１は、本開示の一部実施例におけるページングエリア特定方法のフローチャートである。
【図１２】図１２は、本開示の一部実施例におけるコアネットワークノードのモジュール図である。
【図１３】図１３は、本開示の一部実施例におけるコアネットワークノードの構造図である。
【発明を実施するための形態】
【００５６】
本開示の目的、技術手段および利点をより明確にするために、以下、図面および具体的な実施例に関連して本開示を詳細に記載する。
【００５７】
本開示は、ＵＥが現在のＲＡＮ  ｌｅｖｅｌのページングエリアを出た後に当該ページングエリアの更新または再割当を行う手段は関連技術になく、ネットワーク通信に影響を与えるという問題に対し、ページングエリア特定方法、アクセスネットワークノードおよびコアネットワークノードを提供する。
【００５８】
図３に示すように、本開示の実施例は、アクセスネットワークノードに応用されるページングエリア特定方法を提供する。当該方法は、以下のステップを含む。
【００５９】
ステップ３１において、端末に対しページングエリア割当を行う指示情報を取得する。
【００６０】
なお、当該方法は、主に、端末のＲＲＣインアクティブ状態（すなわち背景技術の部分で言及されたＲＲＣ＿ｉｎａｃｔｉｖｅ＿ｃｏｎｎｅｃｔｅｄ状態）での無線アクセスネットワークレベルのページングエリアを特定する。当該指示情報は、コアネットワークノードからアクセスネットワークノードに送信されてもよく、端末から直接アクセスネットワークノードに送信されてもよい。また、端末がＲＲＣインアクティブ状態ではない場合、当該指示情報は、端末に対しページングエリア割当を行うように指示することに用いられる。一方、端末がすでにＲＲＣインアクティブ状態である場合、当該指示情報は、端末に対しページングエリアの再割当を行うように指示することに用いられる（すなわちこの場合に行われるのは、ページングエリアの更新である。）。
【００６１】
ステップ３２において、前記指示情報に基づいて、端末に対しページングエリアを特定する。本ステップにおいて、アクセスネットワークノードは、指示情報を受信すると、当該指示情報に基づいて、端末に対し無線アクセスネットワークレベルのページングエリアを特定する。
【００６２】
ステップ３３において、前記ページングエリアを前記端末に通知する。
【００６３】
なお、本実施例におけるアクセスネットワークノードは、現在、端末にサービスを提供するアクセスネットワークノードを指す。
【００６４】
本開示の実施例は、端末に対しページングエリア割当を行う指示情報に基づいて端末のページングエリアを特定することによって、端末のＲＲＣインアクティブ状態での無線アクセスネットワークレベルのページングエリアの特定が実現され、ネットワーク通信の完全性が保証される。
【００６５】
なお、アクセスネットワークノードは、端末がネットワークにアタッチしまたは位置更新プロセスを引き起こすとき、またはサービスリクエストプロセスを引き起こすときに、端末のＲＲＣインアクティブ状態への移行を制御し、端末に対し無線アクセスネットワークレベルのページングエリアを割り当てる。この際に、当該指示情報は、端末の無線リソース制御ＲＲＣインアクティブ状態が許容されるエリア情報、または、端末のＲＲＣインアクティブ状態が許容される指示である。この場合、アクセスネットワークノードは、前記ページングエリアをエアインタフェースメッセージ（たとえばＲＲＣメッセージ）によって直接前記端末に送信し、かつ前記端末がアクセスネットワークノードに再度接続する場合、端末に対し無線アクセスネットワークレベルのページングエリアを再度特定する。
【００６６】
選択可能に、前記指示情報は、端末の無線リソース制御ＲＲＣインアクティブ状態が許容されるエリア情報、または、端末のＲＲＣインアクティブ状態が許容される指示である。
【００６７】
なお、前記端末のＲＲＣインアクティブ状態の活性化が許容される指示は、たとえば端末の低移動性指示または端末の非移動指示によって暗示的に指示される。
【００６８】
具体的に、前記指示情報が、端末の無線リソース制御ＲＲＣインアクティブ状態が許容されるエリア情報である場合、ステップ３２の具体的な実現として、前記端末のＲＲＣインアクティブ状態が許容されるエリア情報の中で、セルグラニュラリティに基づくページングエリアを端末に対し特定するステップを含む。ここで、特定されるセルグラニュラリティに基づくページングエリアは、端末のＲＲＣインアクティブ状態が許容されるエリアに含まれる。なお、端末のＲＲＣインアクティブ状態が許容されるエリア情報をコアネットワークノードからアクセスネットワークノードに指示した場合、アクセスネットワークノードは、指示された当該エリア情報から一部のエリアを選択して、端末に対し特定する新規のページングエリアとする必要がある。
【００６９】
具体的に、前記指示情報が、端末のＲＲＣインアクティブ状態が許容される指示である場合、ステップ３２の具体的な実現として、端末のＲＲＣインアクティブ状態が許容される指示に基づいて、セルグラニュラリティに基づくページングエリアを端末に対し特定するステップを含む。
【００７０】
なお、端末のＲＲＣインアクティブ状態が許容されるエリア情報をコアネットワークノードからアクセスネットワークノードに指示した場合、アクセスネットワークノードは、端末の移動性情報とネットワーク側情報に基づいて、直接端末に対し新規のページングエリアを特定する。
【００７１】
なお、セルグラニュラリティに基づくページングエリアを端末に対し特定する主要方式として、アクセスネットワークノード側のネットワークデプロイメント、配置および前記端末の移動性特徴情報を取得し、前記ネットワークデプロイメント、配置および前記端末の移動性特徴情報に基づいて、セルグラニュラリティに基づくページングエリアを端末に対し特定する。
【００７２】
以下、上記方法について、その実際の応用をそれぞれ説明する。
応用例１
【００７３】
図４に示すように、端末がネットワークにアタッチし（Ａｔｔａｃｈプロセス）、または位置更新プロセス（Ｔｒａｃｋｉｎｇ Ａｒｅａ Ｕｐｄａｔｅ（ＴＡＵ）プロセス）を引き起こすときに、無線アクセスネットワークレベルのページングエリアを特定する主要な実現プロセスは、以下である。
【００７４】
ステップ４１において、ＵＥは、ネットワークにアタッチし、または位置更新プロセスを引き起こす。
【００７５】
ステップ４２において、端末のＲＲＣ  ｉｎａｃｔｉｖｅ許容エリアを特定する。
【００７６】
コアネットワークノード（すなわち次世代コアネットワークにおけるノード）は、ＵＥの移動性、ＵＥの契約、ネットワーク配置およびポリシーなどに基づいて、端末のＲＲＣ  ｉｎａｃｔｉｖｅ  ｃｏｎｎｅｃｔｅｄ状態が許容されるか（すなわち、ＲＲＣ  ｉｎａｃｔｉｖｅ  Ｍｏｄｅｌを使用するまたはＲＲＣ  ｉｎａｃｔｉｖｅ  ｃｏｎｎｅｃｔｅｄ状態に移行することが許容されるか）を特定する。端末のＲＲＣ  ｉｎａｃｔｉｖｅ  ｃｏｎｎｅｃｔｅｄ状態が許容される場合、ＵＥのＲＲＣ  ｉｎａｃｔｉｖｅ  ｃｏｎｎｅｃｔｅｄ状態が許容されるエリアを特定し、ＲＲＣ  ｉｎａｃｔｉｖｅ許容エリアと記するとともに、当該ＲＲＣ  ｉｎａｃｔｉｖｅ許容エリアをカバーするように、トラッキングエリアリスト（ＴＡ  ｌｉｓｔ）またはセルリスト（ｃｅｌｌ  ｌｉｓｔ）を割り当てる。
【００７７】
ステップ４３において、端末に対しページングエリア割当を行う指示情報をアクセスネットワークノードに送信する。
【００７８】
コアネットワークノードは、現在ＵＥにサービスを提供するアクセスネットワークノードを指示し、当該ＵＥのＲＲＣ  ｉｎａｃｔｉｖｅが許容されると指示する。さらに、コアネットワークノード（たとえば移動性管理機能エンティティ）は、ＵＥのＲＲＣ  ｉｎａｃｔｉｖｅ許容エリアをＲＡＮノードに送信する。
【００７９】
ステップ４４において、アクセスネットワークノードとコアネットワークノードとの間の制御プレーン接続とユーザプレーン接続、すなわち、ＮＧ２インタフェースとＮＧ３インタフェースの接続を確立する。
【００８０】
ステップ４５において、コアネットワークノードは、トラッキングエリアリストまたはセルリストをＵＥに割り当てる。
【００８１】
ステップ４６において、アクセスネットワークノードは、コアネットワークノードの指示情報に基づいて、ＲＡＮ  ｌｅｖｅｌのページングエリアを端末に対し特定する。
【００８２】
アクセスネットワークノードは、ＲＲＣ  ｉｎａｃｔｉｖｅ許容エリアを受信した後に、さらにアクセスネットワーク側のネットワークデプロイメントおよび配置（たとえば、当該アクセスネットワークノードがアンカーポイントとしてサービス提供が可能なエリア）ならびに当該ＵＥの移動性特徴に基づいて、ＵＥ  ｓｐｅｃｉｆｉｃのＲＡＮ  ｌｅｖｅｌのページングエリアを当該ＵＥに割り当て、当該ページングエリアでＵＥのＲＲＣ  ｉｎａｃｔｉｖｅ  ｃｏｎｎｅｃｔｅｄ状態が許容されると特定し、ＲＡＮ  ｌｅｖｅｌのページングエリアがＲＲＣ  ｉｎａｃｔｉｖｅ許容エリアに含まれることを保証する。
【００８３】
アクセスネットワークノードは、ＲＲＣ  ｉｎａｃｔｉｖｅ状態が許容される指示のみを受信したのであれば、自らアクセスネットワーク側のネットワークデプロイメントおよび配置（たとえば、当該アクセスネットワークノードがアンカーポイントとしてサービス提供が可能なエリア）ならびに当該ＵＥの移動性特徴に基づいて、ＵＥ  ｓｐｅｃｉｆｉｃのＲＡＮ  ｌｅｖｅｌのページングエリアを当該ＵＥに割り当て、当該ページングエリアでＵＥのＲＲＣ  ｉｎａｃｔｉｖｅ  ｃｏｎｎｅｃｔｅｄ状態が許容されると特定する。
【００８４】
ステップ４７において、アクセスネットワークノードは、当該ページングエリアをＵＥに通知する。
【００８５】
ステップ４８において、ＲＲＣ接続の解除後に、ＵＥとアクセスネットワークノードは、ＲＲＣ  ｉｎａｃｔｉｖｅ状態に移行する。
応用例２
【００８６】
図５に示すように、端末がサービスリクエストプロセスを引き起こすときに、無線アクセスネットワークレベルのページングエリアを特定する主要な実現プロセスは、以下である。
【００８７】
選択可能なステップとして、端末のＡｔｔａｃｈプロセス（ただしＰＤＵセッションの確立はなし）またはＴＡＵプロセスにおいて、コアネットワークノード（たとえば移動性管理機能エンティティ）は、ＵＥの移動性、ＵＥの契約、ネットワーク配置およびポリシーなどに基づいて、端末がＲＲＣ  ｉｎａｃｔｉｖｅ  Ｍｏｄｅｌを使用できるまたはＲＲＣ  ｉｎａｃｔｉｖｅ  ｃｏｎｎｅｃｔｅｄ状態に移行できるかどうかを特定する場合、ＲＲＣ  ｉｎａｃｔｉｖｅ  Ｍｏｄｅｌの使用が許容されまたはＲＲＣ  ｉｎａｃｔｉｖｅ  ｃｏｎｎｅｃｔｅｄ状態への移行が許容されれば、ＵＥのＲＲＣ  ｉｎａｃｔｉｖｅ  ｃｏｎｎｅｃｔｅｄ状態が許容されるエリアを特定し、ＲＲＣ  ｉｎａｃｔｉｖｅ許容エリアと記する。この場合、コアネットワークノードの移動性管理機能は、直ちにＲＡＮに対しＲＲＣ  ｉｎａｃｔｉｖｅ状態の活性化を指示しなくてもよい。
【００８８】
ステップ５１において、ＵＥは、サービスリクエスト（Ｓｅｒｖｉｃｅ  Ｒｅｑｕｅｓｔ）プロセスを引き起こす。
【００８９】
ステップ５２において、端末に対しページングエリア割当を行う指示情報をアクセスネットワークノードに送信する。
【００９０】
現在ＵＥにサービスを提供するアクセスネットワークノードをコアネットワークからＲＡＮノードに指示する可能性があり（当該指示は、選択可能であり、移動性管理機能によりＡｔｔａｃｈプロセスまたはＴＡＵプロセスにおいて当該ＲＡＮノードに指示を提供したのであれば、提供する必要がない。）、当該ＵＥのＲＲＣ  ｉｎａｃｔｉｖｅが許容される。さらに、移動性管理機能は、ＵＥのＲＲＣ  ｉｎａｃｔｉｖｅ許容エリアをＲＡＮノードに送信する。
【００９１】
ステップ５３において、ユーザプレーンのデータ伝送経路を確立してデータ伝送を行う。
【００９２】
ステップ５４において、アクセスネットワークノードは、コアネットワークノードからの現在の指示または受信済みの指示に基づいて、ＲＡＮ  ｌｅｖｅｌのページングエリアの割当を行うと特定する。
【００９３】
ＲＡＮノードは、ＲＲＣ  ｉｎａｃｔｉｖｅ許容エリアを受信した後に、さらにアクセスネットワーク側のネットワークデプロイメントおよび配置（たとえば、当該アクセスネットワークノードがアンカーポイントとしてサービス提供が可能なエリア）ならびに当該ＵＥの移動性特徴に基づいて、ＵＥ  ｓｐｅｃｉｆｉｃのＲＡＮ  ｌｅｖｅｌのページングエリアを当該ＵＥに割り当て、当該ページングエリアでＵＥのＲＲＣ  ｉｎａｃｔｉｖｅ  ｃｏｎｎｅｃｔｅｄ状態が許容されると特定し、ＲＡＮ  ｌｅｖｅｌのページングエリアがＲＲＣ  ｉｎａｃｔｉｖｅ許容エリアに含まれることを保証する。
【００９４】
アクセスネットワークノードは、ＲＲＣ  ｉｎａｃｔｉｖｅ状態が許容される指示のみを受信したのであれば、自らアクセスネットワーク側のネットワークデプロイメントおよび配置（たとえば、当該アクセスネットワークノードがアンカーポイントとしてサービス提供が可能なエリア）ならびに当該ＵＥの移動性特徴に基づいて、ＵＥ  ｓｐｅｃｉｆｉｃのＲＡＮ  ｌｅｖｅｌのページングエリアを当該ＵＥに割り当て、当該ページングエリアでＵＥのＲＲＣ  ｉｎａｃｔｉｖｅ  ｃｏｎｎｅｃｔｅｄ状態が許容されると特定する。
【００９５】
ステップ５５において、アクセスネットワークノードは、ＲＲＣ接続解除プロセスにおいて、当該ページングエリアをＵＥに通知し、ＲＲＣ接続の解除後に、ＵＥとアクセスネットワークノードは、ＲＲＣ  ｉｎａｃｔｉｖｅ状態に移行する。
【００９６】
選択可能に、端末がすでにＲＲＣインアクティブ状態である場合、移動プロセスで現在のページングエリアを出るときに、コアネットワークノードは、アクセスネットワークノードから端末に対しページングエリアの再割当を行うことを引き起こす。この場合、ステップ３１の具体的な実現方式として、コアネットワークノードが端末からの位置更新リクエストを受信した時に送信した指示情報であって、端末に対しページングエリア割当を行う指示情報を取得する。
【００９７】
対応して、ステップ３２の具体的な実現方式として、前記ページングエリアを前記コアネットワークノードに送信して、前記コアネットワークノードから前記ページングエリアを前記端末に送信し、または、前記ページングエリアをエアインタフェースメッセージによって直接前記端末に送信する。
応用例３
【００９８】
図６に示すように、端末が現在の無線アクセスネットワークレベルのページングエリアを出るプロセスにおいて、コアネットワークノードによってトリガーされる無線アクセスネットワークレベルのページングエリアの再割当の方式１の主要な実現プロセスは、以下である。
【００９９】
ステップ６１において、ＵＥは、現在のＲＡＮ  ｌｅｖｅｌ  Ｐａｇｉｎｇ  ａｒｅａを出た後に、位置更新リクエストをコアネットワークノードに送信する。当該位置更新リクエストには、ＲＡＮ  ｌｅｖｅｌ  Ｐａｇｉｎｇ  ａｒｅａを出る指示が付帯される（ＲＡＮ  ｌｅｖｅｌ  Ｐａｇｉｎｇ  ａｒｅａとＴＡ  ｌｉｓｔまたはｃｅｌｌ  ｌｉｓｔとが揃わないのであれば、ＵＥからコアネットワークノードに当該指示を提供する。）。
【０１００】
ステップ６２において、コアネットワークノードは、まず元のアクセスネットワークノードに対しＵＥのコンテキスト（Ｃｏｎｔｅｘｔ）およびＮＧ２とＮＧ３接続の削除を通知する。
【０１０１】
ステップ６３において、コアネットワークノードは、ＵＥがまだａｌｌｏｗｅｄ  ａｒｅａにあるかを検査する。
【０１０２】
なお、当該ステップ６３は、選択可能であり、ＲＡＮ  ｌｅｖｅｌ  Ｐａｇｉｎｇ  ａｒｅａがＴＡ  ｌｉｓｔまたはｃｅｌｌ  ｌｉｓｔより大きい場合、当該ステップ６３が実行される。
【０１０３】
ステップ６４において、コアネットワークノードは、現在ＵＥにサービスを提供するアクセスネットワークノード（新規のアクセスネットワークノード）を指示し、当該ＵＥのＲＲＣ  ｉｎａｃｔｉｖｅが許容される。さらに、コアネットワークノードは、ＵＥのＲＲＣ  ｉｎａｃｔｉｖｅ許容エリアを新規のアクセスネットワークノードに送信する。
【０１０４】
ステップ６５において、新規のアクセスネットワークノードは、コアネットワークノードからの指示（すなわち、コアネットワークノードから送信されるＵＥのＲＲＣ  ｉｎａｃｔｉｖｅ許容エリア）などに基づいて、ＵＥ  ｓｐｅｃｉｆｉｃのＲＡＮ  ｌｅｖｅｌのページングエリアを当該ＵＥに割り当て、当該ページングエリアでＵＥのＲＲＣ  ｉｎａｃｔｉｖｅ  ｃｏｎｎｅｃｔｅｄ状態が許容されると特定する。
【０１０５】
ステップ６６において、新規のアクセスネットワークノードは、コアネットワークノードからの指示に基づいて、ＵＥに対しＮＧ３接続を確立する。
【０１０６】
ステップ６７において、新規のアクセスネットワークノードは、当該ページングエリアをコアネットワークノードに通知する。
【０１０７】
ステップ６８において、コアネットワークノードは、新規に割り当てられたページングエリアをＵＥに通知する。ＵＥとＲＡＮは、ＲＲＣ接続の解除後に、ＲＲＣ  ｉｎａｃｔｉｖｅ状態に移行する。
応用例４
【０１０８】
図７に示すように、端末が現在の無線アクセスネットワークレベルのページングエリアを出るプロセスで、コアネットワークノードによってトリガーされる無線アクセスネットワークレベルのページングエリアの再割当の方式２の主要な実現プロセスは、以下である。
【０１０９】
ステップ７１において、ＵＥは、現在のＲＡＮ  ｌｅｖｅｌ  Ｐａｇｉｎｇ  ａｒｅａを出た後に、位置更新リクエストをコアネットワークノードに送信する。当該位置更新リクエストには、ＲＡＮ  ｌｅｖｅｌ  Ｐａｇｉｎｇ  ａｒｅａを出る指示が付帯される可能性がある（たとえば、ＲＡＮ  ｌｅｖｅｌ  Ｐａｇｉｎｇ  ａｒｅａとＴＡ  ｌｉｓｔまたはｃｅｌｌ  ｌｉｓｔとが揃わない場合、ＵＥからコアネットワークノードに当該指示を提供する。）。
【０１１０】
ステップ７２において、コアネットワークノードは、まず元のアクセスネットワークノードに対しＵＥのコンテキスト（Ｃｏｎｔｅｘｔ）およびＮＧ２とＮＧ３接続の削除を通知する。
【０１１１】
ステップ７３において、コアネットワークノードは、ＵＥがまだａｌｌｏｗｅｄ  ａｒｅａにあるかを検査する。
【０１１２】
なお、当該ステップ７３は、選択可能であり、ＲＡＮ  ｌｅｖｅｌ  Ｐａｇｉｎｇ  ａｒｅａがＴＡ  ｌｉｓｔまたはｃｅｌｌ  ｌｉｓｔより大きい場合、当該ステップ７３が実行される。
【０１１３】
ステップ７４において、コアネットワークノードは、現在ＵＥにサービスを提供するアクセスネットワークノード（新規のアクセスネットワークノード）を指示し、当該ＵＥのＲＲＣ  ｉｎａｃｔｉｖｅが許容される。さらに、コアネットワークノードは、ＵＥのＲＲＣ  ｉｎａｃｔｉｖｅ許容エリアを新規のアクセスネットワークノードに送信する。
【０１１４】
ステップ７５において、新規のアクセスネットワークノードは、コアネットワークノードからの指示（すなわち、コアネットワークノードから送信されるＵＥのＲＲＣ  ｉｎａｃｔｉｖｅ許容エリア）などに基づいて、ＵＥ  ｓｐｅｃｉｆｉｃのＲＡＮ  ｌｅｖｅｌのページングエリアを当該ＵＥに割り当て、当該ページングエリアでＵＥのＲＲＣ  ｉｎａｃｔｉｖｅ  ｃｏｎｎｅｃｔｅｄ状態が許容されると特定する。
【０１１５】
ステップ７６において、新規のアクセスネットワークノードは、コアネットワークノードの指示に基づいて、ＵＥに対しＮＧ３接続を確立する。
【０１１６】
ステップ７７において、コアネットワークノードは、ＮＧ３接続の確立後に、位置更新受け入れ（Ａｃｃｅｐｔ）メッセージをＵＥに返信する。
【０１１７】
ステップ７８において、新規のアクセスネットワークノードは、ＲＲＣ接続解除メッセージなどのＲＲＣメッセージによって、新規のページングエリアをＵＥに通知する。よって、ＵＥと現在ＵＥにサービスを提供するアクセスネットワークノードは、ＲＲＣ接続の解除後に、ＲＲＣ  ｉｎａｃｔｉｖｅ状態に移行する。
【０１１８】
選択可能に、端末がすでにＲＲＣインアクティブ状態であり、移動プロセスで現在のページングエリアを出ると、端末は、直接アクセスネットワークノードから端末に対しページングエリアの再割当を行うことを引き起こす。この場合、ステップ３１の具体的な実現方式として、端末が現在のページングエリアを出た後に送信した指示情報であって、端末に対しページングエリア割当を行う指示情報を受信する。
【０１１９】
なお、当該指示情報は、端末から送信されるリクエストメッセージに含まれてもよく、端末から送信される新規のメッセージであってもよい。
【０１２０】
なお、端末が現在の無線アクセスネットワークレベルのページングエリアを出た後にリクエストメッセージを送信する場合、当該リクエストメッセージには、それまでに滞在したセルの情報が付帯される可能性がある。よって、端末にサービスを提供するアクセスネットワークノードに変化がある場合、端末のリクエストメッセージを受信するアクセスネットワークノードは、それまでのアクセスネットワークノード（すなわち第１アクセスネットワークノード）を見つけることができる。
【０１２１】
対応して、前記ステップ３２の具体的な実現として、以下のステップを含む。
【０１２２】
ステップ３２１において、前記指示情報に基づいて、端末のＲＲＣインアクティブ状態が許容されるかを判断する。
【０１２３】
ステップ３２２において、端末のＲＲＣインアクティブ状態が許容されれば、端末に対しページングエリアを特定する。
【０１２４】
ステップ３２３において、端末のＲＲＣインアクティブ状態が許容されなければ、コアネットワークノードにＲＲＣインアクティブ状態不活性化メッセージを送信して、ＲＲＣインアクティブ状態が許容されなくなることをコアネットワークノードから前記端末に通知する。
【０１２５】
選択可能に、前記ステップ３２１の実現において、以下のステップを含む。
【０１２６】
ステップ３２１１において、前記指示情報に基づいて、端末のＲＲＣインアクティブ状態が許容されるエリア情報を取得する。
【０１２７】
具体的に、当該ステップ３２１の具体的な実現方式として、第１アクセスネットワークノードにリクエストを送信して、前記端末のＲＲＣインアクティブ状態が許容されるエリア情報を取得し、または、コアネットワークノードにリクエストを送信して、前記端末のＲＲＣインアクティブ状態が許容されるエリア情報を取得する。
【０１２８】
なお、当該第１アクセスネットワークノードは、端末にサービスを提供する元のアクセスネットワークノード、すなわち旧アクセスネットワークノードを指す。具体的な実現において、現在のアクセスネットワークノードによって、端末がそれまでに滞在したセルの情報から検索される。
【０１２９】
ステップ３２１２において、前記端末のＲＲＣインアクティブ状態が許容されるエリア情報に基づいて、端末のＲＲＣインアクティブ状態が許容されるかを判断する。
【０１３０】
なお、ステップ３２２の後に、前記ページングエリア特定方法は、前記コアネットワークノードが前記端末に対し、アクセスネットワークノードとコアネットワークノードとの間の制御プレーン接続とユーザプレーン接続を更新するように、パス切替リクエストをコアネットワークノードに送信するステップをさらに含む。
【０１３１】
なお、この場合、アクセスネットワークノードは、前記ページングエリアをエアインタフェースメッセージによって直接前記端末に送信する。
応用例５
【０１３２】
図８に示すように、端末が現在の無線アクセスネットワークレベルのページングエリアを出るプロセスで、端末によって直接トリガーされる無線アクセスネットワークレベルのページングエリアの再割当の主要な実現プロセスは、以下である。
【０１３３】
ステップ８１において、ＵＥは、現在のＲＡＮ  ｌｅｖｅｌ  Ｐａｇｉｎｇ  ａｒｅａを出た後に、ページングエリア割当を要求する指示情報が含まれるＲＲＣメッセージをアクセスネットワークノードに送信して、ＲＡＮ  ｌｅｖｅｌ  Ｐａｇｉｎｇ  ａｒｅａの再割当を要求する。当該指示情報には、旧セル（ｏｌｄ  ｃｅｌｌ）ＩＤが含まれる。当該ＲＲＣメッセージが元のアクセスネットワークノードに送信されれば、元のアクセスネットワークノードによってＲＡＮ  ｌｅｖｅｌ  Ｐａｇｉｎｇ  ａｒｅａを再度割り当て、ＵＥに通知する。そうでなければ、ステップ８２を実行する。
【０１３４】
ステップ８２において、新規のアクセスネットワークノードは、元のアクセスネットワークノードにメッセージを送信して、Ｘ２切替フローや新規のＵＥコンテキスト伝送フローなどを実行することを要求し、元のアクセスネットワークノードからＵＥの移動性ＣｏｎｔｅｘｔとセッションＣｏｎｔｅｘｔを取得する。同時に、元のアクセスネットワークノードから新規のアクセスネットワークノードにａｌｌｏｗｅｄ  ａｒｅａが送信される。
【０１３５】
ステップ８３において、元のアクセスネットワークノードは、新規のアクセスネットワークノードに関連情報をフィードバックする。
【０１３６】
ステップ８４において、新規のアクセスネットワークノードは、ａｌｌｏｗｅｄ  ａｒｅａに基づいて、ＵＥのＲＲＣ  ｉｎａｃｔｉｖｅ状態が許容されると特定する（たとえば、新規のアクセスネットワークノードのサービスエリアとａｌｌｏｗｅｄ  ａｒｅａとはオーバーラップする）。新規のアクセスネットワークノードは、当該ＵＥに対しＵＥ  ｓｐｅｃｉｆｉｃのＲＡＮ  ｌｅｖｅｌのページングエリアを割り当て、当該エリアでＵＥのＲＲＣ  ｉｎａｃｔｉｖｅ  ｃｏｎｎｅｃｔｅｄが許容されると特定する。ＮＥＷ  ＲＡＮノードは、ＵＥのＲＲＣ  ｉｎａｃｔｉｖｅ状態が許容されなくなると特定すると、ＵＥの要求を拒否し、ＲＲＣ  ｉｎａｃｔｉｖｅ状態が許容されなくなることをＵＥに指示する。
【０１３７】
ステップ８５において、新規のアクセスネットワークノードは、パス切替リクエストをコアネットワークノードに送信する。
【０１３８】
ステップ８６において、当該ＵＥのＮＧ２、ＮＧ３接続を更新し、コアネットワークノードによってＮＧ３接続の確立を完成させる。
【０１３９】
ステップ８７において、新規のアクセスネットワークノードは、ＲＲＣ接続解除メッセージなどのＲＲＣメッセージによって新規のページングエリアをＵＥに通知する。よって、ＵＥとＲＡＮは、ＲＲＣ接続の解除後に、ＲＲＣ  ｉｎａｃｔｉｖｅ状態に移行する。
【０１４０】
ステップ８８において、新規のアクセスネットワークノードは、元のアクセスネットワークノードに対し、ＵＥのＣｏｎｔｅｘｔ、ＮＧ２とＮＧ３接続の削除を通知する。
【０１４１】
なお、コアネットワークノードは、ＵＥのＲＡＮ  ｌｅｖｅｌ  Ｐａｇｉｎｇが許容されなくなる（たとえばＵＥがａｌｌｏｗｅｄ  ａｒｅａを出た）ことを特定すると、元のアクセスネットワークノードに対し、ＵＥのＣｏｎｔｅｘｔ、ＮＧ２とＮＧ３接続の削除を通知する。コアネットワークノードは、位置更新受け入れメッセージを返信し、ＲＲＣ  ｉｎａｃｔｉｖｅ状態が許容されなくなることをＵＥに通知し、しかも新規のＴＡ  ｌｉｓｔを割り当てる可能性がある。
【０１４２】
なお、端末に対しページングエリア割当を行う指示情報に基づいて端末の無線アクセスネットワークレベルのページングエリアを特定することによって、端末のＲＲＣインアクティブ状態での無線アクセスネットワークレベルのページングエリアの特定が実現され、ネットワーク通信の完全性が保証される。
【０１４３】
図９に示すように、本開示の実施例で提供されるアクセスネットワークノード９０は、端末に対しページングエリア割当を行う指示情報を取得することに用いられる第１取得モジュール９１と、前記指示情報に基づいて、端末に対しページングエリアを特定することに用いられる第１特定モジュール９２と、前記ページングエリアを前記端末に通知することに用いられる通知モジュール９３とを含む。
【０１４４】
選択可能に、前記指示情報は、端末の無線リソース制御ＲＲＣインアクティブ状態が許容されるエリア情報、または、端末のＲＲＣインアクティブ状態が許容される指示である。
【０１４５】
具体的に、前記指示情報が、端末のＲＲＣインアクティブ状態が許容される指示である場合、前記第１特定モジュール９２は、端末のＲＲＣインアクティブ状態が許容される指示に基づいて、セルグラニュラリティに基づくページングエリアを端末に対し特定することに用いられる。
【０１４６】
選択可能に、前記指示情報が、端末の無線リソース制御ＲＲＣインアクティブ状態が許容されるエリア情報である場合、前記第１特定モジュール９２は、前記端末のＲＲＣインアクティブ状態が許容されるエリア情報の中で、セルグラニュラリティに基づくページングエリアを端末に対し特定することに用いられる。ここで、特定されるセルグラニュラリティに基づくページングエリアは、端末のＲＲＣインアクティブ状態が許容されるエリアに含まれる。
【０１４７】
具体的に、セルグラニュラリティに基づくページングエリアを端末に対し特定する方式として、アクセスネットワークノード側のネットワークデプロイメント、配置および前記端末の移動性特徴情報を取得し、前記ネットワークデプロイメント、配置および前記端末の移動性特徴情報に基づいて、セルグラニュラリティに基づくページングエリアを端末に対し特定する。
【０１４８】
選択可能に、前記通知モジュール９３は、前記ページングエリアをエアインタフェースメッセージによって直接前記端末に送信することに用いられる。
【０１４９】
選択可能に、前記アクセスネットワークノード９０は、前記端末がアクセスネットワークノードに再度接続する場合、前記アクセスネットワークノードが端末に対しページングエリアを再度特定することに用いられる第２特定モジュールをさらに含む。
【０１５０】
選択可能に、前記第１取得モジュール９１は、コアネットワークノードが端末の位置更新リクエストを受信したときに送信した指示情報であって、端末に対しページングエリア割当を行う指示情報を取得することに用いられる。
【０１５１】
対応して、前記通知モジュール９３は、前記コアネットワークノードが前記ページングエリアを前記端末に送信するように、前記ページングエリアを前記コアネットワークノードに送信すること、または、前記ページングエリアをエアインタフェースメッセージによって直接前記端末に送信することに用いられる。
【０１５２】
選択可能に、前記第１取得モジュール９１は、端末が現在のページングエリアを出た後に送信した指示情報であって、端末に対しページングエリア割当を行う指示情報を受信することに用いられる。
【０１５３】
対応して、前記第１特定モジュール９２は、前記指示情報に基づいて、端末のＲＲＣインアクティブ状態が許容されるかを判断することに用いられる判断サブモジュールと、端末のＲＲＣインアクティブ状態が許容されれば、端末に対しページングエリアを特定することに用いられる第１特定サブモジュールを含む。
【０１５４】
具体的に、前記判断サブモジュールは、前記指示情報に基づいて、端末のＲＲＣインアクティブ状態が許容されるエリア情報を取得することに用いられる取得ユニットと、前記端末のＲＲＣインアクティブ状態が許容されるエリア情報に基づいて、端末のＲＲＣインアクティブ状態が許容されるかを判断することに用いられる判断ユニットを含む。
【０１５５】
具体的に、前記取得ユニットは、第１アクセスネットワークノードにリクエストを送信して、前記端末のＲＲＣインアクティブ状態が許容されるエリア情報を取得すること、または、コアネットワークノードにリクエストを送信して、前記端末のＲＲＣインアクティブ状態が許容されるエリア情報を取得することに用いられる。
【０１５６】
選択可能に、前記第１特定モジュール９２は、端末のＲＲＣインアクティブ状態が許容されなければ、コアネットワークノードがＲＲＣインアクティブ状態が許容されなくなることを前記端末に通知するように、コアネットワークノードにＲＲＣインアクティブ状態不活性化メッセージを送信することに用いられる第１送信サブモジュールをさらに含む。
【０１５７】
選択可能に、前記アクセスネットワークノード９０は、前記コアネットワークノードが前記端末に対しアクセスネットワークノードとコアネットワークノードとの間の制御プレーン接続とユーザプレーン接続を更新するように、パス切替リクエストをコアネットワークノードに送信することに用いられる第１送信モジュールをさらに含む。
【０１５８】
ここで、前記通知モジュール９３は、前記ページングエリアをエアインタフェースメッセージによって直接前記端末に送信することに用いられる。
【０１５９】
なお、当該アクセスネットワークノードの実施例は、上記の方法実施例に一対一に対応するアクセスネットワークノードである。上記方法実施例におけるすべての実現方式は、いずれも当該アクセスネットワークノードの実施例に適用し、同一の技術効果を奏することもできる。
【０１６０】
図１０に示すように、本開示の実施例で提供されるアクセスネットワークノードは、プロセッサ１０１と、バスインタフェース１０２を介して前記プロセッサ１０１に接続されるメモリ１０３を含む。前記メモリ１０３は、前記プロセッサ１０１による操作実行に用いられるプログラムとデータを記憶することに用いられる。プロセッサ１０１は、前記メモリ１０３に格納されているプログラムとデータを呼び出して実行すると、端末に対しページングエリア割当を行う指示情報を取得するプロセスと、前記指示情報に基づいて、端末に対しページングエリアを特定するプロセスと、トランシーバ１０４によって前記ページングエリアを前記端末に通知するプロセスを実行する。
【０１６１】
なお、当該プロセッサ１０１は、さらに、上記アクセスネットワークノードのほかの任意のモジュールの機能を実現することに用いられる。
【０１６２】
なお、トランシーバ１０４は、バスインタフェース１０２に接続され、プロセッサ１０１による制御でページングエリアを端末に通知することに用いられる。
【０１６３】
なお、図１０において、バスアーキテクチャは、任意数の相互接続するバスとブリッジを含み、具体的に、プロセッサ１０１をはじめとする１つ又は複数のプロセッサとメモリ１０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１０４は、複数の部品であってもよく、即ち送信機と受信機を含み、伝送媒体でほかの各種類の装置と通信するユニットとして提供される。プロセッサ１０１は、バスアーキテクチャと通常の処理を管理する。メモリ１０３は、プロセッサ１０１による作業時に使用されるデータを記憶できる。
【０１６４】
上記実施例を実現するステップのすべてまたは一部は、ハードウェアによって実施されてもよく、コンピュータプログラムで関連ハードウェアに指示することによって実施されてもよい。前記コンピュータプログラムは、上記方法のステップの一部またはすべてを実行する指令を含む。かつ当該コンピュータプログラムは、あらゆる形態の読み取り可能な記憶媒体に格納される。
【０１６５】
図１１に示すように、本開示の実施例のコアネットワークノードに応用されるページングエリア特定方法は、端末の位置更新リクエストを取得するステップ１１１と、前記位置更新リクエストに基づいて、端末の無線リソース制御ＲＲＣインアクティブ状態が許容されるかを特定するステップ１１２と、無線リソース制御ＲＲＣインアクティブ状態が許容されれば、端末に対しページングエリア割当を行う指示情報をアクセスネットワークノードに送信するステップ１１３とを含む。
【０１６６】
具体的に、前記指示情報は、コアネットワークノードから提供される、端末の無線リソース制御ＲＲＣインアクティブ状態が許容されるエリア情報または端末のＲＲＣインアクティブ状態が許容される指示を含む。
【０１６７】
選択可能に、前記ステップ１１１の具体的な実現方式として、端末が現在のページングエリアを出たときに送信した位置更新リクエストを受信するステップを含み、前記位置更新リクエストは、端末が現在のページングエリアを出る指示情報を含む。
【０１６８】
具体的に、前記指示情報が、端末の無線リソース制御ＲＲＣインアクティブ状態が許容されるエリア情報を含む場合、前記ステップ１１３の実現方式として、端末のＲＲＣインアクティブ状態が許容されるエリア情報を特定するステップと、前記エリア情報を、端末に対しページングエリア割当を行う指示情報としてアクセスネットワークノードに送信するステップとを含む。
【０１６９】
選択可能に、ステップ１１２の前に、前記ページングエリア特定方法は、端末がＲＲＣインアクティブ状態許容エリアにあるかを判断するステップをさらに含む。前記端末がＲＲＣインアクティブ状態許容エリアにあれば、ステップ１１２を実行する。前記端末がＲＲＣインアクティブ状態許容エリアになければ、前記端末に応答メッセージ（たとえば位置更新受け入れメッセージ）を返信して、ＲＲＣインアクティブ状態が許容されなくなることを端末に通知する。
【０１７０】
選択可能に、前記ページングエリア特定方法は、アクセスネットワークノードからフィードバックされるページングエリアを受信するステップと、前記ページングエリアを前記端末に送信するステップとをさらに含む。
【０１７１】
なお、実施例１における当該コアネットワークノード側に応用されるページングエリア特定方法に関するすべての記載は、いずれも当該方法実施例に適用し、ここでは詳細に説明しない。
【０１７２】
図１２に示すように、本開示の実施例で提供されるコアネットワークノード１２０は、端末の位置更新リクエストを取得することに用いられる第２取得モジュール１２１と、前記位置更新リクエストに基づいて、端末の無線リソース制御ＲＲＣインアクティブ状態が許容されるかを特定することに用いられる第３特定モジュール１２２と、無線リソース制御ＲＲＣインアクティブ状態が許容されれば、端末に対しページングエリア割当を行う指示情報をアクセスネットワークノードに送信することに用いられる第２送信モジュール１２３とを含む。
【０１７３】
具体的に、前記指示情報は、コアネットワークノードから提供される、端末の無線リソース制御ＲＲＣインアクティブ状態が許容されるエリア情報または端末のＲＲＣインアクティブ状態が許容される指示を含む。
【０１７４】
選択可能に、前記第２取得モジュール１２１は、端末が現在のページングエリアを出たときに送信した位置更新リクエストを受信することに用いられる。前記位置更新リクエストは、端末が現在のページングエリアを出る指示情報を含む。
【０１７５】
選択可能に、前記指示情報が、端末の無線リソース制御ＲＲＣインアクティブ状態が許容されるエリア情報を含む場合、前記第２送信モジュール１２３は、端末のＲＲＣインアクティブ状態が許容されるエリア情報を特定することに用いられる第２特定サブモジュールと、前記エリア情報を、端末に対しページングエリア割当を行う指示情報としてアクセスネットワークノードに送信することに用いられる第２送信サブモジュールとを含む。
【０１７６】
選択可能に、前記コアネットワークノード１２０は、端末がＲＲＣインアクティブ状態許容エリアにあるかを判断することに用いられる判断モジュールをさらに含む。前記端末がＲＲＣインアクティブ状態許容エリアにあれば、前記第３特定モジュールは、前記位置更新リクエストに基づいて、端末の無線リソース制御ＲＲＣインアクティブ状態が許容されるかを特定するステップを実行する。前記コアネットワークノードは、前記端末がＲＲＣインアクティブ状態許容エリアになければ、前記端末に応答メッセージを返信して、ＲＲＣインアクティブ状態が許容されなくなることを端末に通知することに用いられるメッセージ返信モジュールをさらに含む。
【０１７７】
選択可能に、前記コアネットワークノード１２０は、アクセスネットワークノードからフィードバックされるページングエリアを受信することに用いられる受信モジュールと、前記ページングエリアを前記端末に送信することに用いられる第３送信モジュールとをさらに含む。
【０１７８】
なお、当該コアネットワークノードの実施例は、上記の方法実施例に一対一に対応するコアネットワークノードである。上記方法実施例におけるすべての実現方式は、いずれも当該コアネットワークノードの実施例に適用し、同一の技術効果を奏することもできる。
【０１７９】
図１３に示すように、本開示の実施例で提供されるコアネットワークノードは、プロセッサ１３１と、バスインタフェース１３２を介して前記プロセッサ１３１に接続されるメモリ１３３を含む。前記メモリ１３３は、前記プロセッサ１３１による操作実行に用いられるプログラムとデータを記憶することに用いられる。プロセッサ１３１は、前記メモリ１３３に格納されているプログラムとデータを呼び出して実行すると、端末の位置更新リクエストを取得するプロセスと、前記位置更新リクエストに基づいて、端末の無線リソース制御ＲＲＣインアクティブ状態が許容されるかを特定するプロセスと、無線リソース制御ＲＲＣインアクティブ状態が許容されれば、端末に対しページングエリア割当を行う指示情報をトランシーバ１３４によってアクセスネットワークノードに送信するプロセスを実行する。
【０１８０】
なお、当該プロセッサ１３１は、さらに、上記コアネットワークノードのほかの任意のモジュールの機能を実現することに用いられる。
【０１８１】
なお、トランシーバ１３４は、バスインタフェース１３２に接続され、プロセッサ１３１による制御で、端末に対しページングエリア割当を行う指示情報をアクセスネットワークノードに送信することに用いられる。
【０１８２】
なお、図１３において、バスアーキテクチャは、任意数の相互接続するバスとブリッジを含み、具体的に、プロセッサ１３１をはじめとする１つ又は複数のプロセッサとメモリ１３３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１３４は、複数の部品であってもよく、即ち送信機と受信機を含み、伝送媒体でほかの各種類の装置と通信するユニットとして提供される。プロセッサ１３１は、バスアーキテクチャと通常の処理を管理する。メモリ１３３は、プロセッサ１３１による作業時に使用されるデータを記憶できる。
【０１８３】
上記実施例を実現するステップのすべてまたは一部は、ハードウェアによって実施されてもよく、コンピュータプログラムで関連ハードウェアに指示することによって実施されてもよい。前記コンピュータプログラムは、上記方法のステップの一部またはすべてを実行する指令を含む。かつ当該コンピュータプログラムは、あらゆる形態の読み取り可能な記憶媒体に格納される。
【０１８４】
以上の記載は、本開示の好ましい実施形態である。なお、当業者にとって、本開示に記載した原理を逸脱することなくいくつかの改良や修飾を行うこともできる。これらの改良や修飾も、本開示の保護範囲に含まれる。
【図１】
2019535219.tif 000003
【図２】
2019535219.tif 000004
【図３】
2019535219.tif 000005
【図４】
2019535219.tif 000006
【図５】
2019535219.tif 000007
【図６】
2019535219.tif 000008
【図７】
2019535219.tif 000009
【図８】
2019535219.tif 000010
【図９】
2019535219.tif 000011
【図１０】
2019535219.tif 000012
【図１１】
2019535219.tif 000013
【図１２】
2019535219.tif 000014
【図１３】
2019535219.tif 000015
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
アクセスネットワークノードに応用されるページングエリア特定方法において、
端末に対しページングエリア割当を行う指示情報を取得するステップと、
前記指示情報に基づいて、端末に対しページングエリアを特定するステップと、
前記ページングエリアを前記端末に通知するステップとを含むページングエリア特定方法。
【請求項２】
前記指示情報は、端末の無線リソース制御ＲＲＣインアクティブ状態が許容されるエリア情報、または、端末のＲＲＣインアクティブ状態が許容される指示である請求項１に記載のページングエリア特定方法。
【請求項３】
前記指示情報が、端末のＲＲＣインアクティブ状態が許容される指示である場合、
前記指示情報に基づいて、端末に対しページングエリアを特定するステップは、
端末のＲＲＣインアクティブ状態が許容される指示に基づいて、セルグラニュラリティに基づくページングエリアを端末に対し特定するステップを含み、
または
前記指示情報が、端末の無線リソース制御ＲＲＣインアクティブ状態が許容されるエリア情報である場合、
前記指示情報に基づいて、端末に対しページングエリアを特定するステップは、
前記端末のＲＲＣインアクティブ状態が許容されるエリア情報の中で、セルグラニュラリティに基づくページングエリアを端末に対し特定するステップを含み、
特定されるセルグラニュラリティに基づくページングエリアは、端末のＲＲＣインアクティブ状態が許容されるエリアに含まれる請求項２に記載のページングエリア特定方法。
【請求項４】
セルグラニュラリティに基づくページングエリアを端末に対し特定するステップは、
アクセスネットワークノード側のネットワークデプロイメント、配置および前記端末の移動性特徴情報を取得するステップと、
前記ネットワークデプロイメント、配置および前記端末の移動性特徴情報に基づいて、セルグラニュラリティに基づくページングエリアを端末に対し特定するステップとを含み、
前記ページングエリアを前記端末に通知するステップは、
前記ページングエリアをエアインタフェースメッセージによって直接前記端末に送信するステップを含む請求項３に記載のページングエリア特定方法。
【請求項５】
前記端末がアクセスネットワークノードに再度接続する場合、前記アクセスネットワークノードが、端末に対しページングエリアを再度特定するステップをさらに含む請求項３に記載のページングエリア特定方法。
【請求項６】
前記ページングエリアを前記端末に通知するステップは、
コアネットワークノードが前記ページングエリアを前記端末に送信するように、前記ページングエリアを前記コアネットワークノードに送信するステップ、
または、
前記ページングエリアをエアインタフェースメッセージによって直接前記端末に送信するステップを含む請求項５に記載のページングエリア特定方法。
【請求項７】
端末に対しページングエリア割当を行う指示情報を取得するステップは、
端末が現在のページングエリアを出た後に送信した指示情報であって、端末に対しページングエリア割当を行う指示情報を受信するステップを含む請求項１に記載のページングエリア特定方法。
【請求項８】
前記指示情報に基づいて、端末に対しページングエリアを特定するステップは、
前記指示情報に基づいて、端末のＲＲＣインアクティブ状態が許容されるかを判断するステップと、
端末のＲＲＣインアクティブ状態が許容されれば、端末に対しページングエリアを特定するステップと
を含み、
前記ページングエリアを前記端末に通知するステップは、
前記ページングエリアをエアインタフェースメッセージによって直接前記端末に送信するステップを含む請求項７に記載のページングエリア特定方法。
【請求項９】
前記指示情報に基づいて、端末のＲＲＣインアクティブ状態が許容されるかを判断するステップは、
前記指示情報に基づいて、端末のＲＲＣインアクティブ状態が許容されるエリア情報を取得するステップと、
前記端末のＲＲＣインアクティブ状態が許容されるエリア情報に基づいて、端末のＲＲＣインアクティブ状態が許容されるかを判断するステップとを含む請求項８に記載のページングエリア特定方法。
【請求項１０】
前記指示情報に基づいて、端末のＲＲＣインアクティブ状態が許容されるエリア情報を取得するステップは、
第１アクセスネットワークノードにリクエストを送信して、前記端末のＲＲＣインアクティブ状態が許容されるエリア情報を取得するステップ、
または、
コアネットワークノードにリクエストを送信して、前記端末のＲＲＣインアクティブ状態が許容されるエリア情報を取得するステップを含む請求項９に記載のページングエリア特定方法。
【請求項１１】
端末のＲＲＣインアクティブ状態が許容されれば、端末に対しページングエリアを特定するステップの後に、
コアネットワークノードが前記端末に対しアクセスネットワークノードとコアネットワークノードとの間の制御プレーン接続とユーザプレーン接続を更新するように、パス切替リクエストをコアネットワークノードに送信するステップをさらに含む請求項８に記載のページングエリア特定方法。
【請求項１２】
端末に対しページングエリア割当を行う指示情報を取得することに用いられる第１取得モジュールと、
前記指示情報に基づいて、端末に対しページングエリアを特定することに用いられる第１特定モジュールと、
前記ページングエリアを前記端末に通知することに用いられる通知モジュールとを含むアクセスネットワークノード。
【請求項１３】
コアネットワークノードに応用されるページングエリア特定方法において、
端末の位置更新リクエストを取得するステップと、
前記位置更新リクエストに基づいて、端末の無線リソース制御ＲＲＣインアクティブ状態が許容されるかを特定するステップと、
無線リソース制御ＲＲＣインアクティブ状態が許容されれば、端末に対しページングエリア割当を行う指示情報をアクセスネットワークノードに送信するステップとを含むページングエリア特定方法。
【請求項１４】
前記指示情報は、コアネットワークノードから提供される、端末の無線リソース制御ＲＲＣインアクティブ状態が許容されるエリア情報または端末のＲＲＣインアクティブ状態が許容される指示を含み、
前記指示情報が、端末の無線リソース制御ＲＲＣインアクティブ状態が許容されるエリア情報を含む場合、
端末に対しページングエリア割当を行う指示情報をアクセスネットワークノードに送信するステップは、
端末のＲＲＣインアクティブ状態が許容されるエリア情報を特定するステップと、
前記エリア情報を、端末に対しページングエリア割当を行う指示情報としてアクセスネットワークノードに送信するステップとを含む請求項１３に記載のページングエリア特定方法。
【請求項１５】
端末の位置更新リクエストを取得することに用いられる第２取得モジュールと、
前記位置更新リクエストに基づいて、端末の無線リソース制御ＲＲＣインアクティブ状態が許容されるかを特定することに用いられる第３特定モジュールと、
無線リソース制御ＲＲＣインアクティブ状態が許容されれば、端末に対しページングエリア割当を行う指示情報をアクセスネットワークノードに送信することに用いられる第２送信モジュールとを含むコアネットワークノード。
【国際調査報告】
2019535219.tif 000016
2019535219.tif 000017
2019535219.tif 000018
2019535219.tif 000019